(57)【要約】      （修正有）【課題】一対のシャッタ部材の開閉動作がスムース且つ確実に行うことができるようにすると共に、一対のシャッタ部材とカートリッジ筐体との隙間を可及的に小さくして大きな開口部の防塵性、気密性を高める。【解決手段】上シェル１３、中シェル１４及び下シェル１５を重ね合せることによって上シェルと中シェル間にディスク収納室が形成され、中シェルが上シェル及び下シェルによって回転自在に支持されると共に開口部を有するカートリッジ筐体と、中シェルの回転に応じて開位置と閉位置との間で移動可能とされた一対のシャッタ部材１８ａ，１８ｂと、を具えたディスク記録媒体装置において、一対のシャッタ部材はディスクドライブ装置のラック棒と係合する中シェルの回転に応じて接合部５０ａ，５０ｂが互いに平行な状態を維持したまま平行移動することにより開口部２５，４２を開閉する。【選択図】図１
2008103078.tif 000002
【特許請求の範囲】
【請求項１】
上シェル、中シェル及び下シェルを重ね合せることによって上記上シェルと上記中シェル間又は上記中シェルと上記下シェル間にディスク収納室が形成され、上記中シェルが上記上シェル及び上記下シェルの少なくとも一方によって回転自在に支持されると共に、上記上シェル及び上記下シェルの少なくとも一方に形成された第１の開口部又は上記上シェル及び上記下シェルの少なくとも一方に形成された第１の開口部と上記中シェルに形成された第２の開口部を有するカートリッジ筐体と、上記ディスク収納室内に回転自在に収納されるディスク状記録媒体と、上記カートリッジ筐体に設けられ、上記第１の開口部又は上記第１の開口部と上記第２の開口部を閉じる閉位置において互いに接合する接合部をそれぞれ具え、上記中シェルの回転に応じて上記第１の開口部又は上記第１の開口部と上記第２の開口部を開く開位置と上記閉位置との間で移動可能とされた一対のシャッタ部材と、を具えたディスク記録媒体装置と、
上記ディスク記録媒体装置の挿脱動作に応じて上記一対のシャッタ部材を移動させて上記第１の開口部又は上記第１の開口部と上記第２の開口部を開閉させるシャッタ開閉手段と、
上記ディスク記録媒体装置が着脱可能に装着されると共に、当該ディスク記録媒体装置の装着時、上記シャッタ開閉手段で開放された上記第１の開口部又は上記第１の開口部と上記第２の開口部から挿入されて上記ディスク状記録媒体をチャッキングして回転駆動するディスクドライブ装置と、を備え、
上記一対のシャッタ部材は、上記中シェルの回転に応じて上記接合部が互いに平行な状態を維持したまま移動することにより上記第１の開口部又は上記第１の開口部と上記第２の開口部を開閉することを特徴とするディスク状記録媒体に記録及び／又は再生を行うディスク記録及び／又は再生装置。
【請求項２】
上記一対のシャッタ部材は、上記上シェル及び上記下シェルの少なくとも一方に対して、それぞれのシャッタ部材に対応する支点を中心として回動自在に支持されている
ことを特徴とする請求項１記載のディスク記録及び／又は再生装置。
【請求項３】
上記一対のシャッタ部材は、上記中シェルに対して、それぞれのシャッタ部材に対応する支点を中心として回動可能に支持されている
ことを特徴とする請求項１記載のディスク記録及び／又は再生装置。
【請求項４】
上記一対のシャッタ部材は、それぞれ略半円形とされた板体からなり、当該一対のシャッタ部材が上記第２の開口部を有する上記中シェル、上記第１の開口部を有する上記上シェル及び上記下シェルの少なくとも一面側に当該第２の開口部又は当該第１の開口部を挟んで対向するように配置されている
ことを特徴とする請求項２又は３記載のディスク記録及び／又は再生装置。
【請求項５】
上記一対のシャッタ部材は、それぞれのシャッタ部材において、弦側の一側部で上記中シェルに回動自在に支持されていると共に、当該一対のシャッタ部材にそれぞれ設けたガイド溝に上記上シェル又は上記下シェルに設けた支点を揺動可能に係合させ、上記中シェルの回転に応じて、それぞれの接合部を平行移動させるようにした
ことを特徴とする請求項４記載のディスク記録及び／又は再生装置。
【請求項６】
上記第１の開口部は上記上シェル及び上記下シェルの少なくとも一方に、それぞれの中央部を通って直線方向又は交差方向に連続させて設け、上記第２の開口部は上記中シェルの中央部を通って直線方向又は交差方向に連続させて設け、上記第１の開口部及び必要により上記第２の開口部を介して、複数の光学ヘッドによる同時期の情報信号の記録及び／又は再生を可能とした
ことを特徴とする請求項１記載のディスク記録及び／又は再生装置。
【発明の詳細な説明】
【技術分野】
【０００１】
本発明は、光ディスクや光磁気ディスク、磁気ディスク等のディスク状記録媒体がカートリッジ筐体のディスク収納室内に収納されたディスク記録媒体装置を用いて情報の記録及び／又は再生を行うためのディスク記録及び／又は再生装置に関し、特に、カートリッジ筐体に設けた開口部を一対のシャッタ部材によって開閉させるようにしたディスク記録及び／又は再生装置に関するものである。
【背景技術】
【０００２】
従来、一般に、音声、映像或いはコンピュータのデータ等の情報の記録及び／又は再生が可能なディスク状記録媒体がカートリッジ筐体内に回転自在に収納されたディスク記録媒体装置としては、例えば、図２７に示すような構成のものが知られている。このディスク記録媒体装置１は、コンピュータのデータ等の情報を使用者が後から記録（書き込み）できる追記形光磁気ディスク４を内蔵している情報記録メディアの一例を示すものである。
【０００３】
このディスク記録媒体装置１は、一対の上シェル２ａ及び下シェル２ｂによって構成されるカートリッジ筐体２と、このカートリッジ筐体２のディスク収納室３内に回転自在に収納された光磁気ディスク４等を備えている。カートリッジ筐体２の上下両面には、中央部から一辺に向かって延びる上下の開口部５が設けられている。この開口部５は、その一辺に沿ってスライド可能とされたシャッタ部材６によって開閉可能とされている。６ａは、シャッタ部材６の先端部の抜け出しを防止するための押え部材である。
【０００４】
また、光磁気ディスク４の中央部には、金属によって円盤状に形成されたセンタハブ７が設けられている。このセンタハブ７は、開口部５の内側端部に対応された位置、即ち、カートリッジ筐体２の略中央部に配置されている。このセンタハブ７には、ディスクドライブ装置に設けられるターンテーブルが装着され、そのターンテーブルによるチャッキングにより固定されて光磁気ディスク４が所定速度（例えば、線速度一定）で回転駆動される。この際、開口部５内にヘッド部が挿入される光磁気ピックアップ装置の働きにより、光磁気ディスク４に対する情報信号の記録又は再生が行われる。
【特許文献１】特開２０００−１１３６３０号公報
【特許文献２】実願昭５６−１１１７１３号（実開昭５８−０１７６８２号）のマイクロフィルム
【発明の開示】
【発明が解決しようとする課題】
【０００５】
しかしながら、このような構成を有する従来のディスク記録媒体装置１においては、開口部５を開閉するシャッタ部材６が断面コ字状をなすように形成されており、このシャッタ部材６をカートリッジ筐体２の一辺に嵌め合わせ、その一辺に沿ってシャッタ部材６をスライドさせて開口部５を開閉する構造となっていた。そのため、カートリッジ筐体２とシャッタ部材６との間に大きな隙間ができてしまい、微小なゴミやホコリ等の侵入を防ぐことができないという課題があった。
【０００６】
近年、光ディスクの大容量化・高記録密度化の流れの中、記録パターンの狭ピッチ化、線密度の増大化が進んでいる。光ディスク或いは光磁気ディスクは、記録面上にゴミやホコリ等が侵入することによって読取り或いは書込み光ビームが遮蔽されたり、情報記録面への傷つけによって正常な情報の読み書きができなくなってしまう場合がある。そのため、従来のディスクカートリッジでは、図２７に示すように、断面略コ字状に形成されたシャッタ部材６をカートリッジ筐体２の一辺にスライド可能に装着し、その一辺に沿って移動させることにより開口部５を開閉して、光ディスク等の情報記録面の保護を図っている。
【０００７】
ところが、更なる大容量化・高記録密度化により、従来では影響の少なかった微小なゴミやホコリ等であっても、データの読み書きに対する影響度が増加し、上述したような略コ字状をなすシャッタ部材では、微小なサイズのゴミやホコリ等の侵入を防ぐことができなかった。この場合、カートリッジ筐体２内に侵入した微小なゴミやホコリが光磁気ディスク４の情報記録面に付着すると、そのゴミ等によって情報記録面が傷つけられたり、レーザ光が影響を受けてしまい、正常な情報の読み書きができなくなってしまうという課題があった。
【０００８】
また、上述した従来のディスク記録媒体装置１においては、使用者の手に触れ易いところにシャッタ部材６があるため、使用者が誤ってシャッタ部材６をスライドさせて開口部５を開けてしまうおそれがあった。しかも、シャッタ部材６がカートリッジ筐体２の一辺に沿って直線的に移動するため、カートリッジ筐体２の表面積を小さくできないという課題もあった。
【０００９】
本発明は、このような従来の課題に鑑みてなされたものであり、上シェル及び下シェルの少なくとも一方で中シェルを回転自在に支持すると共に、この中シェルの回転に基づいて一対のシャッタ部材を開閉動作させる構成とすることにより、一対のシャッタ部材の開閉動作をスムース且つ確実に行うことができると共に、一対のシャッタ部材とカートリッジ筐体との隙間を可及的に小さくして大きな開口部の防塵性、気密性を高めることにより、上述したような従来の課題を解決することを目的としている。
【課題を解決するための手段】
【００１０】
上述したような課題等を解決し、上記目的を達成するために、本出願のディスク記録及び／又は再生装置は、上シェル、中シェル及び下シェルを重ね合せることによって上シェルと中シェル間又は中シェルと下シェル間にディスク収納室が形成され、中シェルが上シェル及び下シェルの少なくとも一方によって回転自在に支持されると共に、上シェル及び下シェルの少なくとも一方に形成された第１の開口部又は上シェル及び下シェルの少なくとも一方に形成された第１の開口部と中シェルに形成された第２の開口部を有するカートリッジ筐体と、ディスク収納室内に回転自在に収納されるディスク状記録媒体と、カートリッジ筐体に設けられ、第１の開口部又は第１の開口部と第２の開口部を閉じる閉位置において互いに接合する接合部をそれぞれ具え、中シェルの回転に応じて第１の開口部又は第１の開口部と第２の開口部を開く開位置と閉位置との間で移動可能とされた一対のシャッタ部材と、を具えたディスク記録媒体装置と、ディスク記録媒体装置の挿脱動作に応じて一対のシャッタ部材を移動させて第１の開口部又は第１の開口部と第２の開口部を開閉させるシャッタ開閉手段と、ディスク記録媒体装置が着脱可能に装着されると共に、ディスク記録媒体装置の装着時、シャッタ開閉手段で開放された第１の開口部又は第１の開口部と第２の開口部から挿入されてディスク状記録媒体をチャッキングして回転駆動するディスクドライブ装置と、を備え、一対のシャッタ部材は、中シェルの回転に応じて接合部が互いに平行な状態を維持したまま移動することにより第１の開口部又は第１の開口部と第２の開口部を開閉することを特徴としている。
【発明の効果】
【００１１】
上述のように構成することにより、本出願のディスク記録及び／又は再生装置によれば、ディスク収納室及び開口部を有するカートリッジ筐体とディスク状記録媒体と開口部を開閉する一対のシャッタ部材とを具えたディスク記録媒体装置と、シャッタ開閉手段と、ディスクドライブ装置とを備え、中シェルの回転に応じて一対のシャッタ部材を、それぞれの接合部が互いに平行な状態を維持したまま移動させる構成としたため、中シェルの回転に応じて一対のシャッタ部材を平行に移動させ、一対のシャッタ部材によって開口部をスムース且つ確実に平行移動させることができるディスク記録媒体装置を用いて情報信号の記録及び／又は再生を行うことができる。そのため、一対のシャッタ部材の接合部間及び一対のシャッタ部材とカートリッジ筐体間の隙間が小さく、微小なゴミやホコリ等がディスク収納室内に入り難くて防塵効果の高いディスク記録媒体装置を用いて情報信号の記録及び／又は再生動作を行うことができ、情報信号の記録及び／又は再生精度の向上を図ることができるという効果が得られる。
【発明を実施するための最良の形態】
【００１２】
以下、本発明の実施の形態を添付図面を参照して説明する。図１〜図２６は、本発明のディスク記録及び／又は再生装置の実施の例を示すものである。
【実施例１】
【００１３】
ここで、本出願において、「ディスクカートリッジ」とは、主要な構成メンバとして上下シェル及び中シェルと一対のシャッタ部材（通常は２枚であるが、３枚以上の組み合わせであっても良い。）とを有し、ディスク状記録媒体を収納する以前の筐体のみからなるものを言うものとする。また、「ディスク記録媒体装置」とは、カートリッジ筐体のディスク収納室内にディスク状記録媒体が収納されたもので、ディスクカートリッジとディスク状記録媒体との組み合わせからなるものを言うものとする。更に、「ディスク記録及び／又は再生装置」とは、ディスク記録媒体装置とディスクドライブ装置との組み合わせからなり、ディスク状記録媒体に対して情報信号の記録又は再生の一方、或いは記録再生の両方を行うことができるようにした装置を言うものとする。
【００１４】
図１はディスク記録媒体装置の第１の実施例を下シェル側から見た分解斜視図、図２は同じく下シェル側から見たシャッタ閉状態の斜視図、図３は同じくシャッタ開状態の斜視図、図４は上シェルの底面図、図５は中シェルの底面図、図６は下シェルの平面図、図７は中シェルと一対のシャッタ部材の開状態の斜視図、図８は図７の一対のシャッタ部材の閉状態の斜視図、図９は下シェルと一対のシャッタ部材の開状態の斜視図、図１０は図９の一対のシャッタ部材の閉状態の斜視図、図１１は図１０の一対のシャッタ部材の閉状態の平面図、図１２はディスク記録媒体装置の中央部を断面した説明図である。
【００１５】
また、図１３〜図１９はディスク記録媒体装置の中シェルの回転量と一対のシャッタ部材の開閉状態との関係をそれぞれ示す説明図、図２０Ａ〜Ｃは中シェルの回転とその昇降動作との関係をそれぞれ示す説明図、図２１Ａ及びＢは中シェルの回転による昇降動作に基づくシャッタ部材の密着・開放状態をそれぞれ示す説明図である。
【００１６】
図２２はディスク記録媒体装置の第２の実施例を下シェル側から見た分解斜視図、図２３は同じく下シェル側から見たシャッタ閉状態の斜視図、図２４は本発明のディスク記録媒体装置を使用可能なディスクドライブ装置の回路構成の一実施例を示すブロック説明図、図２５はディスクドライブ装置に対するディスク記録媒体装置の挿入前の状態を示す斜視図、図２６は同じくディスクドライブ装置に対するディスク記録媒体装置の挿入中の状態を示す斜視図である。
【００１７】
第１の実施例として示すディスク記録媒体装置１０は、ディスク状記録媒体として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスク１１を収納したものである。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み又は読み出すようにした光磁気ディスクその他の記憶媒体を適用することができるものである。
【００１８】
ディスク記録媒体装置１０は、図１〜図３に示すように、一対の上シェル１３、中シェル１４及び下シェル１５を重ね合せることによって形成されるカートリッジ筐体１２と、このカートリッジ筐体１２内に形成されたディスク収納室１６内に回転自在に収納される光ディスク１１と、中シェル１４及び下シェル１５に形成された開口部２５，４２を開閉する一対のシャッタ部材１８ａ，１８ｂ等を備えて構成されている。このディスクカートリッジ１０は、光ディスク１１を水平にして使用する場合には、通常上シェル１３が上側に配されるが、図１においては説明上の便宜のために上下が逆とされており、上シェル１３を下側にした状態で書き表されている。
【００１９】
上シェル１３は、図１及び図４に示すように、正面側が円弧形状とされた略四角形をなす薄い皿状の部材からなる。この上シェル１３の下面（図１において表面として現れている面）の中央部には、中シェル１４の厚み方向の略上半分が回動可能に嵌合される円形の上側凹陥部１９ａが設けられている。この上側凹陥部１９ａを設けることによって上シェル１３の外周縁には、前縁部１３ａと左右の側縁部１３ｂ，１３ｃと後縁部１３ｄとが設けられている。この上シェル１３の前縁部１３ａ及び後縁部１３ｄの略中央部には、下シェル１５との位置合わせを行うための位置決め用凹部２１ａ及び２１ｂが設けられている。
【００２０】
また、上シェル１３の上側凹陥部１９ａの外周縁には、周方向に所定長さで連続する円弧状のカム溝２２が等間隔に３箇所に設けられている。このカム溝２２を３箇所に設けることにより、隣り合うカム溝２２，２２間の３箇所に所定長さのリフトアップ部２３（図４において格子縞状にハッチングした部分）が設けられている。この３箇所のカム溝２２には、中シェル１４に設けられたカム部４６が摺動可能に嵌合される。
【００２１】
この上シェル１３の下面に下シェル１５が重なり合わされる。下シェル１５は、図１及び図６に示すように、その外観形状は上シェル１３のそれと略同様とされており、正面側が円弧形状とされた略四角形をなす薄い皿状の部材からなる。この下シェル１５の平面（図１において裏面として隠れている面）の中央部には、中シェル１４の厚み方向の略下半分が回動可能に嵌合される円形の下側凹陥部１９ｂが設けられている。この下側凹陥部１９ｂを設けることによって下シェル１５の外周縁には、前縁部１５ａと左右の側縁部１５ｂ，１５ｃと後縁部１５ｄとが設けられている。この下シェル１５の前縁部１５ａ及び後縁部１５ｄの略中央部には、上シェル１３との位置合わせを行うための位置決め用凸部２４ａ及び２４ｂが設けられている。
【００２２】
この下シェル１５の凸部２４ａ，２４ｂを上シェル１３の凹部２１ａ，２１ｂにそれぞれ係合させることにより、上下シェル１３，１５が互いに位置合わせされて所定の状態で重ね合わされる。この上下シェル１３，１５内に形成された上下の凹陥部１９ａ，１９ｂからなる円形の空間部内に中シェル１４が回転自在に収納されている。この下シェル１５の中央部には、前後方向に延在された第１の開口部２５が設けられている。第１の開口部２５は、ディスク回転駆動機構のターンテーブルと光学ピックアップ装置の光学ヘッドを光ディスク１１に臨ませるためのもので、これらが自由に出入りできる広さに設定されている。
【００２３】
即ち、下シェル１５の第１の開口部２５は、ターンテーブルが出し入れされる中央部に設定されたテーブル用開口部２５ａと、このテーブル用開口部２５ａの前後方向両側に延在されたヘッド用開口部２５ｂとを有している。この第１の開口部２５の形状は、例えば、ヘッド用開口部２５ｂにおけるテーブル用開口部２５ａの両側に１個ずつ合計２個の光学ヘッドを同時に出し入れできるようにするために考え出されたものである。ヘッド用開口部２５ｂの前後方向両端の内面には、後述するシャッタ部材１８ａ，１８ｂとの間の隙間を塞ぐための遮蔽部２６ａ，２６ｂがそれぞれ設けられている。更に、下側凹陥部１９ｂ内には、テーブル用開口部２５ａを中心に対称となるように一対の操作凸部２７ａ，２７ｂが設けられている。
【００２４】
このような構成を有する上シェル１３と下シェル１５とによって形成される上下の凹陥部１９ａ，１９ｂ内に中シェル１４が収納され、この中シェル１４と上シェル１３とによって円形の空間部からなるディスク収納室１６が形成されている。このディスク収納室１６内に、光ディスク１１が半径方向外側及び厚み方向に所定の隙間を持たせて収納されている。この光ディスク１１は、中央部にセンタ穴１１ａが設けられた厚みの薄い円板状の記録部材からなる。
【００２５】
この光ディスク１１の中央部の一面には、センタ穴１１ａを覆うようにセンタハブ２８が接着剤等の固着手段によって固定されている。このセンタハブ２８は、マグネットによって吸着されるステンレス鋼、鉄板等の磁性材料によって形成されている。このセンタハブ２８にはディスクドライブ装置に内蔵されるディスク回転駆動装置のターンテーブルがセンタ穴１１ａを介して嵌合される。このターンテーブルに設けられたマグネットの磁力によってセンタハブ２８が吸着される。これにより、光ディスク１１がターンテーブルにチャッキングされて回転方向に一体化され、このターンテーブルが取り付けられるスピンドルモータの駆動により、所定速度（例えば、線速度一定）で回転される。
【００２６】
この光ディスク１１の一面には、ディスクドライブ装置に内蔵される光学ピックアップ装置の光学ヘッドが対向される情報記録の可能な情報記録領域２９ａと、情報記録の不可能な非記録領域２９ｂ，２９ｃとが設けられている。非記録領域２９ｂ，２９ｃは、光ディスク１１の内側であるセンタハブ２８の外側に所定幅で設けられた内側非記録領域２９ｂと、光ディスク１１の外周縁に所定幅で設けられた外側非記録領域２９ｃとからなる。この内外の非記録領域２９ｂ，２９ｃ間に情報記録領域２９ａが設けられている。この光ディスク１１の基板の材質としては、例えば、ポリカーボネート（ＰＣ）やポリオレフィン等の合成樹脂が好適であるが、他の合成樹脂を用いることができることは勿論のこと、合成樹脂以外であっても情報記録媒体として用いられるガラス材やアルミニウム合金等の各種の材料を用いることができる。
【００２７】
また、上下シェル１３，１５の一方の側縁部１３ｂ，１５ｂの略中央部には、中シェル１４の外周面の一部を露出させるための開口窓３０が設けられている。この開口窓３０は、上シェル１３の接合部に設けた上側切欠き部３０ａと、下シェル１５の接合部に設けた下側切欠き部３０ｂとによって形成されている。更に、上下シェル１３，１５の一方の側縁部１３ｂ，１５ｂには、その接合面に沿って前後方向に延びるガイド溝３１が設けられている。このガイド溝３１は、ディスクカートリッジ１０をディスクドライブ装置に装着する際の誤挿入防止等を目的として設けられたものである。このガイド溝３１には開口窓３０が連通されている。
【００２８】
更に、上下シェル１３，１５の一方の側縁部１３ｂ，１５ｂの前隅部には、ロック部材３２が回動可能に収納されるロック収納部３３が設けられている。このロック収納部３３は凹陥部１９ａ，１９ｂに連通されていると共に、一方の側縁部１３ｂ，１５ｂに設けられた開口穴３４を介してガイド溝３１に連通されている。更に、上シェル１３のロック収納部３３には、ロック部材３２を回動自在に支持する支持軸３５が、下シェル１５側へ突出するように設けられている。
【００２９】
このロック部材３２は、図１及び図１３等に示すように、支持軸３５に回動自在に嵌合されて平面方向へ揺動可能とされたレバー状の部材によって形成されている。このロック部材３２の長手方向の一端には複数の歯を有するストッパ部３６が設けられ、長手方向の他端には入力部３７が設けられている。更に、ロック部材３２には、ストッパ部３６と対向するよう同方向に突出されたバネ片３８が一体に設けられている。
【００３０】
このような構成を有するロック部材３２は、ストッパ部３６を凹陥部１９ａ，１９ｂ側に向けた状態で支持軸３５に嵌合され、バネ片３８が前縁部１３ａ，１５ａの内面に当接される。このバネ片３８のバネ力によってストッパ部３６が凹陥部１９ａ，１９ｂ側に付勢され、これと同時に、入力部３７が開口穴３４を内側から貫通してガイド溝３１内に突出される。
【００３１】
このような上シェル１３及び下シェル１５の上下凹陥部１９ａ，１９ｂ内に回転可能に嵌合される中シェル１４は、図１及び図５等に示すような構成を備えている。この中シェル１４は、円盤状の薄い板材からなる平面部４０と、この平面部４０の外周縁に連続して設けられたリング部４１とを有している。
【００３２】
中シェル１４の平面部４０は、略半円形に形成された一対の半円片４０ａ，４０ａからなり、両半円片４０ａ，４０ａの弦辺間に隙間をあけることによって第２の開口部４２が形成されている。この第２の開口部４２は、下シェル１５の第１の開口部２５と形状及び大きさが略等しく形成されている。即ち、第２の開口部４２も第１の開口部２５と同様に、平面部４０の中央部に設定され且つターンテーブルが出し入れされるテーブル用開口部４２ａと、このテーブル用開口部４２ａの直径方向両側に設定され且つ光学ヘッドが１個ずつ対向されるヘッド用開口部４２ｂ，４２ｂとを有している。
【００３３】
これらヘッド用開口部４２ｂ，４２ｂの半径方向外側端部はリング部４１に連続するように形成されている。その結果、リング部４１には、ディスク収納室１６内に収納される光ディスク１１の下面となる情報記録面よりも下シェル１５側に突出しない高さとされた連結部４１ａが形成されている。更に、テーブル用開口部４２ａの周囲を囲む平面部４０の内周縁には、自由状態において光ディスク１１の内側非記録領域２９ｂを下方から支える支持縁部４０ｂが設けられている。
【００３４】
また、中シェル１４のリング部４１の外周面には、周方向の所定範囲に渡って多数の歯を有するギア部４３が設けられている。このギア部４３は、図１３に示すように、カートリッジ筐体１２の組立時、中シェル１４の第２の開口部４２を下シェル１５の第１の開口部２５に一致させた状態において、開口窓３０に臨む位置に設定されている。このギア部４３の範囲は、中シェル１４の回転角度よりも少々大きい角度範囲となるように設定されている。
【００３５】
即ち、図１５〜図１９に示すように、第１の開口部２５に対して第２の開口部４２が最大に傾いた状態となる一対のシャッタ部材１８ａ，１８ｂが完全に閉じたとき、ギア部４３の周方向の一端が開口窓３０に露出される。そして、中シェル１４が所定角度を回転して第２の開口部４２が第１の開口部２５に重なり合った状態となる一対のシャッタ部材１８ａ，１８ｂが完全に開いたとき、ギア部４３の周方向の他端が開口窓３０に露出される。
【００３６】
この中シェル１４のギア部４３の一端の外側には、中シェル１４の回転移動量を制限するストッパ部４４が半径方向外側へ突出するように設けられている。このようにギア部４３及びストッパ部４４がリング部４１の外周面から外側へ突出しているため、上シェル１３及び下上シェル１５の対応する部分には、ストッパ部４４等との接触を回避してその通過を許容するための逃げ溝４５ａ，４５ｂがそれぞれ設けられている。
【００３７】
更に、リング部４１の一方の端面には、周方向の３箇所において所定の長さで連続する円弧状のカム部４６（図５において多数の点にて表した部分）が設けられている。これらのカム部４６は、中シェル１４を上シェル１３に組み立てた状態において、上シェル１３の３箇所のカム溝２２にそれぞれ係合されている。この中シェル１４が所定角度回転することにより、各カム部４６が３箇所のリフトアップ部２３にそれぞれ乗り上げられる。
【００３８】
また、中シェル１４のリング部４１の他方の端面には、カム部４６と反対側に突出する円弧状の突条部４７が２箇所に設けられている。これらの突条部４７，４７は、一対のシャッタ部材１８ａ，１８ｂの半径方向外側への移動を制限するものである。これらの突条部４７，４７との接触を避けるため、図６に示すように、上シェル１３の一方の遮蔽部２６ａ，２６ａには、周方向に延びる逃げ溝４８がそれぞれ設けられている。
【００３９】
更に、中シェル１４の平面部４０には、一対のシャッタ部材１８ａ，１８ｂを平面方向へ回動自在に支持するための一対の支持孔４９，４９が設けられている。この一対の支持孔４９，４９は、テーブル用開口部４２ａを中心としてヘッド用開口部４２ｂ，４２ｂの一方の縁部分に点対称となるよう１個ずつ設定されている。
【００４０】
この一対の支持孔４９，４９を介して中シェル１４に取り付けられるシャッタ機構１８は、同一の形状及び大きさとされた２枚で一対のシャッタ部材１８ａ，１８ｂによって構成されている。一対のシャッタ部材１８ａ，１８ｂは、図７及び図８に示すような形状及び構造を有している。即ち、一対のシャッタ部材１８ａ，１８ｂは、略半円形をなす薄い板体によって形成されている。各シャッタ部材１８ａ，１８ｂの弦側辺の略中央部には、弦線と直交する方向に所定の長さで形成された段部５０が設けられており、この段部５０によってその両側に凸側接合部５０ａと凹側接合部５０ｂとが形成されている。
【００４１】
更に、シャッタ部材１８ａ，１８ｂの各接合部５０ａ，５０ｂには、弦の延在方向と直交する方向に庇状に突出する庇部５１ａ，５１ｂがそれぞれ設けられている。かくして、一対のシャッタ部材１８ａ，１８ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材１８ａ，１８ｂの弦側辺の凸側接合部５０ａ側の端部である軸取付部５０ｃには、庇部５１側に突出する軸部５２がそれぞれ設けられている。
【００４２】
この軸部５２を平面部４０の支持孔４９に嵌合させることにより、各シャッタ部材１８ａ，１８ｂが中シェル１４にそれぞれ回動自在に取り付けられる。この際、一対のシャッタ部材１８ａ，１８ｂは、互いの弦側辺を対向させて取り付けるようにする。その結果、図７に示すように、一対のシャッタ部材１８ａ，１８ｂをそれぞれ外側へ離反させるように回動させたとき、各シャッタ部材１８ａ，１８ｂの接合部５０ａ，５０ｂは、それぞれ離れる方向へ平行に移動して、各シャッタ部材１８ａ，１８ｂが半円片４０ａ上に隠れるように載置される。
【００４３】
一方、一対のシャッタ部材１８ａ，１８ｂをそれぞれ内側へ回動させることにより、同じく各シャッタ部材１８ａ，１８ｂの接合部５０ａ，５０ｂが、それぞれ近づく方向へ平行に移動する。そして、一対のシャッタ部材１８ａ，１８ｂの互いの接合部５０ａ，５０ｂをそれぞれ当接させることにより、図８に示すように、一対のシャッタ部材１８ａ，１８ｂによって略円形をなす遮蔽部が第２の開口部４２の中央部に形成される。
【００４４】
更に、シャッタ部材１８ａ，１８ｂの凹側接合部５０ｂ側には、このシャッタ部材１８ａ，１８ｂを開閉動作させるための開閉溝５３がそれぞれ設けられている。各開閉溝５３は、それが設けられているシャッタ部材１８ａ，１８ｂの軸部５２を中心に放射方向へ延びるように形成されている。この開閉溝５３には、下シェル１５の操作凸部２７ａ，２７ｂが摺動可能に係合される。更に、各開閉溝５３の外側の端部には、周囲に切り込みを入れることによって形成された弾性片５４と、操作凸部２７ａ，２７ｂを逃がすための凹部５３ａとが設けられている。また、シャッタ部材１８ａ，１８ｂの円弧側辺には、シャッタの閉じ状態において軸部５２が移動することによってその跡に形成された隙間を塞ぐ閉鎖片５５が設けられている。
【００４５】
上述したような構成を有する上シェル１３、中シェル１４、下シェル１５及びシャッタ部材１８ａ，１８ｂの材質としては、例えば、ＡＢＳ樹脂（アクリロニトリル・ブタジエン・スチレン樹脂）やＨＩＰＳ（高衝撃性ポリスチレン）等の合成樹脂が好適である。しかしながら、その他の合成樹脂を適用できることは勿論のこと、アルミニウム合金、ステンレス鋼その他の金属材料を用いることもできる。
【００４６】
上述した中シェル１４と操作凸部２７ａ，２７ｂと後述するラック棒７０等によってシャッタ開閉機構が構成されている。そして、支持孔４９と軸部５２とによって回動連結部が構成され、操作凸部２７ａ，２７ｂと開閉溝５３とによって移動連結部が構成されている。尚、図示しないが、ディスク記録媒体装置１０について、例えば、カートリッジ筐体１２の後部隅部等に、光ディスク等の記録媒体に記録された情報の誤消去を防止するための誤消去防止機構を設ける構成とすることもできる。このような誤消去防止機構としては、例えば、カートリッジ筐体１２の背面に開口する操作窓と、この操作窓を開閉可能に装着される誤消去防止片等によって構成することができる。
【００４７】
上述したような構成を有するディスク記録媒体装置１０は、例えば、次のようにして簡単に組み立てることができる。このディスク記録媒体装置１０の組立作業は、図１に示すように、上シェル１３を下に配置した状態で行われる。
【００４８】
まず、上シェル１３の上側凹陥部１９ａ内に光ディスク１１を載置する。このとき、光ディスク１１は、センタハブ２８のある面を下にして上側凹陥部１９ａ内に入れ込む。次に、光ディスク１１を覆うように中シェル１４の開口側を上側凹陥部１９ａに嵌合させる。これにより、中シェル１４と上シェル１３とで形成されるディスク収納室１６内に光ディスク１１が回転自在に収納される。このとき、中シェル１４の第２の開口部４２が延在する方向を上シェル１３の前後方向に一致させ、ギア部４３の一端を開口窓３０に臨ませる。
【００４９】
次に、シャッタ機構１８を中シェル１４に組み立てる。これは、一対のシャッタ部材１８ａ，１８ｂの互いの弦側を対向させ、この状態で軸部５２を平面部４０の支持孔４９にそれぞれ嵌合させる。そして、各シャッタ部材１８ａ，１８ｂを互いに離反させ、中シェル１４の各半円片４０ａ上にそれぞれ重なり合うようにする。これと同時に、又は前後して、ロック収納部３３の支持軸３５にロック部材３２を取り付ける。この際、ロック部材３２のバネ片３８を上シェル１３の前縁部１３ａの内面に当接させ、このバネ片３８のバネ力によって入力部３７を開口穴３４からガイド溝３１内に突出させる。
【００５０】
次に、シャッタ機構１８を含む中シェル１４の上に下シェル１５を被せ、この下シェル１５を上シェル１３に重ね合わせる。このとき、下シェル１５の位置決め用凸部２４ａ，２４ｂを上シェル１３の同じく位置決め用凹部２１ａ，２１ｂに嵌め込む。これにより、下シェル１５が上シェル１３に対して自動的に位置決めされる。
【００５１】
この際、一対のシャッタ部材１８ａ，１８ｂを上述した位置に配置しておくことにより、下シェル１５の下側凹陥部１９ｂ内に設けた一対の操作凸部２７ａ，２７ｂを一対の開閉溝５３，５３にそれぞれ対向させることができる。そのため、一対の開閉溝５３，５３の位置を気に掛けることなく、下シェル１５を上シェル１３に重ね合わせるだけで一対の操作凸部２７ａ，２７ｂを一対の開閉溝５３，５３に係合させることができる。
【００５２】
その後、複数本の固定ネジを用いて下シェル１５を上シェル１３に締め付け固定する。これにより、ディスク記録媒体装置１０の組立作業が完了する。この場合、固定ネジ等の別部材からなる固着手段を用いることなく、例えば、接着剤等を用いて上シェル１３と下シェル１５の接合面を直に接合する構成とすることもできる。このように、本実施例に係るディスク記録媒体装置１０によれば、使用される構成部品の数が少なく、しかも、極めて簡単に組立作業を行うことができる。
【００５３】
この場合、一対のシャッタ部材１８ａ，１８ｂの接合部５０ａ，５０ｂには、それぞれ厚みが半分程度の庇部５１ａ，５１ｂがそれぞれ設けられており、これらの庇部５１ａ，５１ｂが他方の接合部５０ａ，５０ｂの下方に入り込む構成となっている。そのため、接合部５０ａ，５０ｂの全体が適度に重ね合わされることから、ラビリンス効果を生じさせて、接合部５０ａ，５０ｂの全長に亘ってチリやホコリ等が入り難い構造とすることができた。
【００５４】
しかも、接合部５０ａ，５０ｂを内側へ押圧した場合には、その接合部５０ａ，５０ｂに加えられた外力を内側に位置する庇部５１ａ，５１ｂによって受けることになる。そのため、庇部５１ａ，５１ｂによって接合部５０ａ，５０ｂ間の係合状態をより強固なものにすることができ、シャッタ部材の変形を防止できると共にチリやホコリ等の侵入をより確実に防止することができる。
【００５５】
上述したような構成を有するディスク記録媒体装置１０がディスクドライブ装置に装着される前には、図２に示すような状態になっている。即ち、シャッタ機構１８の一対のシャッタ部材１８ａ，１８ｂは、その自重や下シェル１５及び中シェル１４との間に生じている摩擦力等によって下シェル１５の第１の開口部２５及び中シェル１４の第２の開口部４２が完全に閉じられている（閉位置）。更に、中シェル１４の３箇所のカム部４６が、上シェル１３の３箇所のカム溝２２から飛び出してリフトアップ部２３に乗り上げた状態にある。そのため、一対のシャッタ部材１８ａ，１８ｂは、図２１Ａに示すように、上シェル１３と中シェル１４とによって両側から挟持された状態となっている。
【００５６】
更に、図１３等に示すように、ロック部材３２のバネ片３８のバネ力によってストッパ部３６が中シェル１４のギア部４３に係合されている。そのため、一対のシャッタ部材１８ａ，１８ｂは、カムの昇降動作による挟持機構とロック部材３２のロック機構とによって二重にロックされた状態となっている。従って、シャッタ機構１８による第１及び第２の開口部２５，４２の閉鎖状態を確実に保持することができ、振動等に起因してシャッタ機構１８が誤って開かれるのを確実に防止することができる。
【００５７】
このような状態のディスク記録媒体装置１０を、図２５及び図２６に示すように、ディスクドライブ装置６０に挿入することにより、このディスクドライブ装置６０に設けられているシャッタ開閉機構によってロック部材３２のロック状態が解除される。その後、このシャッタ開閉機構によってシャッタ機構１８が開放され、第１及び第２の開口部２５，４２が完全に開かれる（開位置）。このシャッタ機構１８の開閉動作は、後に詳細に説明する。
【００５８】
次に、ディスクドライブ装置６０について説明する。このディスクドライブ装置６０は、図２５及び図２６に示すように、中空の筐体からなる外装ケース６１と、この外装ケース６１内に収納された記録再生装置本体６２等を備えて構成されている。外装ケース６１は、上面及び前面に開口されたケース本体６３と、このケース本体６３の上面を閉じるように上部に着脱可能に取り付けられたケース蓋体６４と、ケース本体６３及びケース蓋体６４の前面を閉じるように前部に着脱可能に取り付けられた前部パネル６５等を備えている。
【００５９】
ケース本体６３の４箇所には、下方に突出する脚体６３ａが設けられている。これらの脚体６３ａによってディスクドライブ装置６０が支えられ、適宜位置に取り付けられる。前部パネル６５は、横長とされた板状部材からなり、その上部には横長のカートリッジ出入口６６が設けられている。カートリッジ出入口６６は、ディスク記録媒体装置１０の正面側の大きさと略同程度の大きさに形成されている。このカートリッジ出入口６６は、その内側に配置された開閉扉６７によって常時は閉じられている。
【００６０】
この開閉扉６７をディスク記録媒体装置１０の前部で押圧し、図２６に示すように、所定の位置まで差し込む。これにより、図示しないローディング機構によってディスク記録媒体装置１０が自動的に取り込まれる。そして、ローディング機構で搬送されたディスク記録媒体装置１０は、ディスクドライブ装置６０内の所定位置で位置決めされて固定される。これと同時に又は前後して、ディスクドライブ装置６０に設けられているシャッタ開閉機構によってシャッタ機構１８が動作され、第１及び第２の開口部２５，４２が完全に開放される（開位置）。
【００６１】
その後、開放された第１及び第２の開口部２５，４２内にディスク回転駆動装置６８のターンテーブル６８ａと光学ピックアップ装置６９の光学ヘッド６９ａとが入り込む。そして、ターンテーブル６８ａが光ディスク１１のセンタ孔１１ａに係合し、ターンテーブル６８ａに内蔵されているマグネットによってセンタハブ２８を吸着して保持する。これと同時に又は前後して、光学ヘッド６９ａが光ディスク１１の情報記録領域２９ａに所定位置まで接近する。これにより、ディスクドライブ装置６０による光ディスク１１に対する情報信号の記録及び再生動作が可能となる。
【００６２】
このディスクドライブ装置６０の記録再生装置本体６２は、例えば、図２４に示すような構成要素を備えて構成されている。即ち、記録再生装置本体６２は、システムコントローラＳ１とメモリーコントローラＳ５とドライブコントローラＤ１との３つの制御装置を備えている。
【００６３】
システムコントローラＳ１とメモリーコントローラＳ５とは直に接続されていて、その接続ラインには読取り専用記憶装置（ＲＯＭ）Ｓ２と読取り書込み記憶装置（ＲＡＭ）Ｓ３とが接続されている。更に、メモリーコントローラＳ５には、メモリーＳ４とＭＰＥＧ２（３Ｍ〜４０Ｍbps に対応した既存のテレビ放送、ＨＤＴＶ、広帯域ＩＳＤＮなどに応用される動画圧縮方式）用のエンコーダーＳ６及びデコーダーＳ７とが接続されている。更に、システムコントローラＳ１には、コントロールパネルＳ８とリモコン受信部Ｓ９とが接続されている。
【００６４】
また、ドライブコントローラＤ１には誤り訂正処理回路（ＥＣＣ）Ｄ４が接続されていて、その接続ラインには記憶装置（ＲＯＭ）Ｄ２及び記憶装置（ＲＡＭ）Ｄ３と、サーボ回路Ｄ６及びアドレスデコーダーＤ７とが接続されている。更に、ドライブコントローラＤ１には記録時のエラーを判断する記録時エラー判断回路Ｄ８が接続されている。このドライブコントローラＤ１は、コマンド用インタフェースを介してシステムコントローラＳ１に接続されている。
【００６５】
訂正処理回路Ｄ４、データ用インタフェースを介してメモリーコントローラＳ５に接続されていると共に、変復調回路Ｄ５にも接続されている。そして、変復調回路Ｄ５は、光学ピックアップ装置６９の光学ヘッド６９ａに接続されている。更に、サーボ回路Ｄ６は、ディスク回転駆動装置であるスピンドルモータ６８と、光学ピックアップ装置６９と、記録時エラー判断回路Ｄ８とに接続されている。そして、光学ピックアップ装置６９はアドレスデコーダーＤ７に接続され、アドレスデコーダーＤ７は記録時エラー判断回路Ｄ８にも接続されている。
【００６６】
このような構成を有するディスクドライブ装置６０のカートリッジ出入口６６からディスク記録媒体装置１０を挿入すると、図１３に示すように、ディスクドライブ装置６０に内蔵されたシャッタ開閉機構の一具体例を示すラック棒７０（図２５を参照）が、ディスク記録媒体装置１０の一方の側面部に設けたガイド溝３１内に入り込む。これにより、ガイド溝３１内に突出されているロック部材３２の入力部３７が、バネ片３８の付勢力に抗してラック棒７０の押圧力によりロック収納部３３内に押し込められる。更に、ラック棒７０が相対的に前進することにより、そのギア部７０ａの先端が中シェル１４のギア部４３に噛み合わされる。
【００６７】
このギア部４３がラック棒７０のギア部７０ａに噛み合うことにより、図１３〜図１９に示すように、ラック棒７０の移動量に応じて中シェル１４が回転される。図１３及び図１４は、ラック棒７０のギア部７０ａが中シェル１４のギア部４３に噛み合う前の状態を示すものである。この状態では、一対のシャッタ部材１８ａ，１８ｂの凸側接合部５０ａ及び凹側接合部５０ｂは互いに突き当てられて密着されている。
【００６８】
このとき、中シェル１４の第２の開口部４２は、下シェル１５の第１の開口部２５に対して傾斜された位置にあるため、両開口部２５，４２の重なり合った中央部分のみが開口されるが、その第１及び第２の開口部２５，４２は一対のシャッタ部材１８ａ，１８ｂによって閉じられている。従って、第１及び第２の開口部２５，４２の重複部分からチリやホコリ等がディスク収納室１６内に入り込むおそれがない。
【００６９】
更に、第１の開口部２５と第２の開口部４２とが鋭角で接近している部分には、一対のシャッタ部材１８ａ，１８ｂの軸取付部５０ｃが介在されており、その軸取付部５０ｃが一方の遮蔽部２６ｂの内側に位置して隙間を消滅させている。また、他方の遮蔽部２６ａの内側には閉鎖片５５が介在されており、この閉鎖片５５が他方の遮蔽部２６ａの内側に位置して隙間を消滅させている。
【００７０】
更に又、一対のシャッタ部材１８ａ，１８ｂに設けた開閉溝５３は、それぞれ下シェル１５によって閉じられている。そのため、下シェル１５の第１の開口部２５から中シェル１４の第２の開口部４２に通じる全ての隙間が一対のシャッタ部材１８ａ，１８ｂによって完全に閉鎖されていることから、第１及び第２の開口部２５，４２を介してチリやホコリ等がディスク収納室１６内に侵入するおそれが無い。
【００７１】
この状態から、ディスク記録媒体装置１０の挿入動作に対応してラック棒７０のギア部７０ａがガイド溝３１内に入り込み、そのギア部７０ａと中シェル１４のギア部４３との噛み合いが開始されると、図１３において中シェル１４が反時計方向に回転される。この場合、中シェル１４が回転動作を開始する初期状態では、図２０Ｃ及び図２１Ａに示すように、そのカム部４６がリフトアップ部２３に乗り上げられて上シェル１３との間で一対のシャッタ部材１８ａ，１８ｂを挟持した状態となっているため、中シェル１４の回転動作には比較的大きな力が必要とされる。
【００７２】
このカム部４６の乗り上げによる大きな摩擦力に抗して中シェル１４を回転させることにより、図２０Ｂ及び図２１Ｂに示すように、カム部４６がリフトアップ部２３を通過してカム溝２２内に入り込むと、カム部４６の摩擦力が消滅する。そのため、これ以後の中シェル１４の回転動作は、極めて軽く且つスムースに行うことができる。このとき、一対のシャッタ部材１８ａ，１８ｂの各軸部５２は、中シェル１４の回転によって同様に回転される一方、他端側に設けた開閉溝５３には下シェル１５の操作凸部２７ａ，２７ｂがそれぞれ摺動可能に係合されている。
【００７３】
この一対の操作凸部２７ａ，２７ｂは下シェル１５に設けられていて、この操作凸部２７ａ，２７ｂが移動することがない。その一方、開閉溝５３は、シャッタ部材１８ａ，１８ｂの回動に追従して操作凸部２７ａ，２７ｂとの間に相対移動が可能なように軸部５２と操作凸部２７ｂ（又は２７ａ）とを結ぶ方向Ｓに延在されている。そのため、シャッタ部材１８ａ，１８ｂの回動量に応じて操作凸部２７ｂ（又は２７ａ）が開閉溝５３内を軸部５２側に移動する。これにより、各シャッタ部材１８ａ，１８ｂにおいて軸部５２が対応する操作凸部２７ｂ（又は２７ａ）側に移動する。
【００７４】
その結果、図１５の状態から、図１６、図１７及び図１８の状態を経て、図１９に示すように、各シャッタ部材１８ａ，１８ｂが中シェル１４の対応する半円片４０ａ上に移動する。この際、２つのシャッタ部材１８ａ，１８ｂの接合部５０ａ，５０ｂは、常に平行状態を維持したまま平行に移動する。これにより、各シャッタ部材１８ａ，１８ｂが半円片４０ａと重なり合う状態となり、図９等に示すように、第１及び第２の開口部２５，４２が完全に開放される。そのため、ディスク収納室１６内に収納されている光ディスク１１の一部が第１及び第２の開口部２５，４２によって露出される。
【００７５】
これにより、図１２に示すように、第１及び第２の開口部２５，４２に対するターンテーブル６８ａ及び光学ヘッド６９ａの挿入が可能となる。そこで、ターンテーブル６８ａ等をディスクカートリッジ１０側へ移動するか又はディスクカートリッジ１０をターンテーブル６８ａ側へ移動することにより、ターンテーブル６８ａが中央部のテーブル用開口部２５ａ，４２ａ内に入り込み、光学ヘッド６９ａが両サイドのヘッド用開口部２５ｂ，４２ｂ内に入り込む。
【００７６】
その結果、ターンテーブル６８ａに光ディスク１１が装着されてチャッキングされると共に、光学ヘッド６９ａが所定の間隔を保持して光ディスク１１の情報記録領域２９ａに対面される。これにより、ディスクドライブ装置６０による光ディスク１１の情報記録領域２９ａに対する情報信号の再生又は記録が可能となる。
【００７７】
そこで、記録再生装置本体６２を動作させ、スピンドルモータ６８の駆動によりターンテーブル６８ａを介して光ディスク１１を回転させる。これと同時に又は前後して、光学ピックアップ装置６９の駆動により光学ヘッド６９ａからレーザ光を出射することにより、情報記録領域２９ａに予め記録されている情報信号を読み出し、又はその情報記録領域２９ａに対して新たな情報信号を書き込むことができる。これにより、記録再生装置本体６２による情報信号の再生又は記録が実行される。
【００７８】
このようにして行われる情報信号の再生又は記録の後、例えば、ディスクドライブ装置６０に設けられるカートリッジ排出ボタン（図示せず）を操作することにより、ローディング機構の作動を介してディスク記録媒体装置１０がディスクドライブ装置６０から排出される。即ち、ローディング機構の排出動作によってディスク記録媒体装置１０がカートリッジ出入口６６側に移動すると、相対的にラック棒７０が後退動作される。
【００７９】
このラック棒７０の後退動作により、中シェル１４及び一対のシャッタ部材１８ａ，１８ｂが上述した挿入時とは逆の動作を実行する。即ち、図１９に示す一対のシャッタ部材１８ａ，１８ｂが完全に開いた状態（開位置）から、中シェル１４及び一対のシャッタ部材１８ａ，１８ｂが時計方向に回動し、図１８、図１７及び図１６の状態を経て、図１５の状態に変化する。この図１９〜図１５の状態では、中シェル１４のカム部４６はカム溝２２内にあるため、中シェル１４を軽い力Ｆで回転させることができる。
【００８０】
次に、中シェル１４が図１５の状態から図１３の状態（閉位置）に変化する際に、カム部４６がリフトアップ部２３に当接した後、このリフトアップ部２３上に乗り上げるため、これ以後、中シェル１４の回動には上述した摩擦力が加えられる。そして、図１３の閉じ状態に至る直前において、操作凸部２７ｂ（又は２７ａ）が開閉溝５３を最外側部まで移動し、弾性片５４に接触してこれを押圧する。これにより、操作凸部２７ｂ（又は２７ａ）の押圧力によって弾性片５４にバネ力Ｘが発生する。この弾性片５４のバネ力Ｘによって中央の段部５０には、他方のシャッタ部材１８ａ（又は１８ｂ）に作用する圧接力Ｙが発生する。
【００８１】
この圧接力Ｙは、一対のシャッタ部材１８ａ，１８ｂの両者に発生するため、互いの圧接力Ｙによって一対のシャッタ部材１８ａ，１８ｂの密閉性が更に高められる。従って、一対のシャッタ部材１８ａ，１８ｂの接合部における防塵性を向上させて、チリやホコリ等がディスク収納室１６内に侵入するのをより効果的に防止することができる。
【００８２】
その後、ラック棒７０のギア部７０ａがギア部４３から外れた後、そのラック棒７０が開口穴３４を通過することにより、ロック部材３２の入力部３７が開口穴３４からガイド溝３１内に突出される。これと同時に、ストッパ部３６が内側に移動してギア部４３に噛み合わされる。その結果、ロック部材３２によって中シェル１４がロックされ、その回動が停止される。そして、図１０及び図１１に示すように、一対のシャッタ部材１８ａ，１８ｂによって第１及び第２の開口部２５，４２の全体が完全に閉じられる（閉位置）。
【００８３】
この場合、中シェル１４の回転によって回動される一対のシャッタ部材１８ａ，１８ｂは中シェル１４の回転に応じて平面部４０上を回動するが、それぞれの接合部５０ａ，５０ｂは互いに平行な状態を維持したまま平行に移動する。そして、それぞれの接合部５０ａ，５０ｂは、互いに対向する正面から接合されるため、一対のシャッタ部材１８ａ，１８ｂを均一且つ確実に閉じ合わせることができる。その結果、カートリッジ筐体１２の第１及び第２の開口部２５，４２における一対のシャッタ部材１８ａ，１８ｂによる防塵効果を高めることができ、防塵性に優れたディスクカートリッジ等を得ることができる。
【００８４】
また、この実施例によれば、第１及び第２の開口部２５，４２の形状を、中シェル等の中央部を通って直径方向に連続させる構成としたため、２つのヘッド部を開口部内に同時に臨ませて一度に２つの動作（例えば、情報信号の書き込みと読み出し、２箇所同時の書き込み又は読み出し等）を行うことができ、複数の機能を同時に行うことができて利便性に優れたディスクカートリッジ、ディスク記録媒体装置及びディスク記録及び／又は再生装置を提供することができる。
【００８５】
尚、上述した実施例においては、一対のシャッタ部材１８ａ，１８ｂを回動させて互いの接合部を平行に移動させることによって第１及び第２の開口部２５，４２を開閉させる例について説明したが、一対のシャッタ部材１８ａ，１８ｂの動きはこれに限定されるものではなく、例えば、一対のシャッタ部材１８ａ，１８ｂを当初から平行に移動させて第１及び第２の開口部２５，４２を開閉させる構成とすることもできる。
【００８６】
また、上述した実施例では、中シェル１４及び下シェル１５に設けた第１及び第２の開口部２５，４２のうち、光学ヘッド２個分のヘッド用開口部２５ｂ，４２ｂを、テーブル用開口部２５ａ，４２ａを挟んで直線上に対向させるように配置した例について説明したが、それぞれのヘッド用開口部２５ｂ，４２ｂを直角に配置してＬ字状としても良く、また、直角以外の適当な角度に交差させて配置する構成とすることもできる。更に又、上シェル１３の一部に開閉蓋を設けるようにしたりして、ディスク収納室１６内の光ディスク１１をカートリッジ筐体１２から着脱可能に構成した、いわゆるディスク・キャディーを構成するようにしても良い。
【００８７】
図２２及び図２３は、ディスク記録媒体装置の第２の実施例を示すものである。この実施例に示すディスク記録媒体装置８０は、光学ヘッドが１個のディスクドライブ装置に使用するようにした１ヘッドタイプのものである。このディスク記録媒体装置８０は、図２２から明らかなように、図１等に示したディスク記録媒体装置１０と異なるところは、下シェル８５のみである。そのため、図１と同一部分には同一符号を付してその説明を省略し、構成の異なる下シェル８５の開口部８６について説明する。
【００８８】
この下シェル８５の第１の開口部８６は、上述した下シェル１５の第１の開口部２５から一方のヘッド用開口部２５ｂを廃止しただけのもので、その他の形状及び構成は同一である。この１ヘッド用の下シェル８５を２ヘッド用の下シェル１５に代えて使用することにより、１ヘッド用のディスク記録媒体装置８０を簡単に製造することができ、１ヘッド用と２ヘッド用に容易に対応することができる。しかも、この実施例によれば、製造組立ラインの共通化が可能であり、需要者のニーズに適切に対応することができる。
【００８９】
以上説明したが、本発明は上述した実施の例に限定されるものではなく、例えば、上記実施例においては、情報記録媒体として光ディスクを用いた例について説明したが、光磁気ディスク、フレキシブルディスク等の磁気ディスク、その他各種のディスク状記録媒体に適用することができる。更に、上記実施例では、記録及び／又は再生装置として記録再生兼用のディスク記録再生装置に適用した例について説明したが、記録又は再生の一方のみが可能なディスク記録装置又はディスク再生装置に適用できることは勿論である。
【００９０】
また、上記実施例においては、カートリッジ筐体１２の中シェル１４に第２の開口部４２を設けると共に下シェル１５に第１の開口部２５を設けた例について説明したが、例えば、上シェル１３にも開口部を設け、カートリッジ筐体１２の上下から同時にアクセスできる構造とすることもできる。更に、中シェルと下シェルとでディスク収納室を形成し、このディスク収納室内にディスク状記録媒体を収納すると共に、上シェルに開口部を設ける構成とすることもできる。
【００９１】
更に又、上述した実施例では、シャッタ開閉にあたっては、シャッタ開閉手段（ラック棒）を固定してディスク記録媒体装置１０を移動させることにより第１及び第２の開口部２５，４２を開閉させる例について説明したが、これに限定されるものではなく、シャッタ開閉手段とディスクカートリッジを相対的に移動させて一対のシャッタ部材１８ａ，１８ｂを回動させる構成であれば良い。例えば、ディスク記録媒体装置をディスク装着部に固定した後、シャッタ開閉手段をモータ等で移動させて開閉動作を行わせるようにしても良い。このように、本発明は、その趣旨を逸脱しない範囲で種々変更できるものである。
【図面の簡単な説明】
【００９２】
【図１】本発明のディスク記録及び／又は再生装置に係るディスク記録媒体装置の第１の実施例を示すもので、下面側から見た分解斜視図である。
【図２】図１に示すディスク記録媒体装置を下面側から見たもので、シャッタ機構を閉じて開口部を閉じた状態を示す斜視図である。
【図３】図１に示すディスク記録媒体装置を下面側から見たもので、シャッタ機構を開いて開口部を開いた状態を示す斜視図である。
【図４】図１に示すディスク記録媒体装置の上シェルの下面を示す平面図である。
【図５】図１に示すディスク記録媒体装置の中シェルの下面を示す平面図である。
【図６】図１に示すディスク記録媒体装置の下シェルの上面を示す平面図である。
【図７】図１に示すディスク記録媒体装置の中シェルに取り付けられた一対のシャッタ部材を開いて開口部を開けた状態を示す斜視図である。
【図８】図１に示すディスク記録媒体装置の中シェルに取り付けられた一対のシャッタ部材を閉じて開口部を閉じた状態を示す斜視図である。
【図９】図１に示すディスク記録媒体装置の下シェルにシャッタ機構を配し、その一対のシャッタ部材を開いて開口部を開けた状態を示す斜視図である。
【図１０】図１に示すディスク記録媒体装置の下シェルにシャッタ機構を配し、その一対のシャッタ部材を閉じて開口部を閉じた状態を示す斜視図である。
【図１１】同１０を上方から見た平面図である。
【図１２】図１に示すディスク記録媒体装置の中央部を縦方向に断面したもので、ターンテーブルとの関係を示す説明図である。
【図１３】図１に示すディスク記録媒体装置のカートリッジ筐体とシャッタ機構との動作関係を示すもので、一対のシャッタ部材を閉じて開口部を完全に閉じた状態を示す説明図である。
【図１４】図１３を下シェル側から見た外観状態を示す平面図である。
【図１５】図１３の状態から中シェルが少し回転して一対のシャッタ部材が少し開いた状態を示す説明図である。
【図１６】図１５の状態から中シェルが更に少し回転して一対のシャッタ部材が開いた状態を示す説明図である。
【図１７】図１６の状態から中シェルが更に回転して一対のシャッタ部材が更に開いた状態を示す説明図である。
【図１８】図１７の状態から中シェルが更に回転して一対のシャッタ部材が更に大きく開いた状態を示す説明図である。
【図１９】図１８の状態から中シェルが更に回転して一対のシャッタ部材が完全に開いた状態を示す説明図である。
【図２０】図１に示すディスクカートリッジの開閉時における上シェルに対する中シェルの昇降動作を説明するもので、同図Ａは分解斜視図、同図Ｂは降下時の斜視図、同図Ｃは上昇時の斜視図である。
【図２１】図２０に示すディスクカートリッジの開閉時における中シェルの昇降状態を説明するもので、同図Ａは中シェルのカム部が上シェルのリフトアップ部に乗り上げた状態を示す断面図、同図Ｂは中シェルのカム部が上シェルのカム溝内に入った状態を示す断面図である。
【図２２】本発明のディスク記録及び／又は再生装置に係るディスク記録媒体装置の第２の実施例を示すもので、下面側から見た分解斜視図である。
【図２３】図２２に示すディスク記録媒体装置を下面側から見たもので、シャッタ機構を閉じて開口部を閉じた状態を示す斜視図である。
【図２４】本発明のディスク記録及び／又は再生装置に係るディスク記録媒体装置が使用されるディスクドライブ装置の回路構成の一実施例を示すブロック説明図である。
【図２５】本発明のディスク記録及び／又は再生装置に係るディスク記録媒体装置が使用されるディスクドライブ装置に図１に示すディスク記録媒体装置を挿入する前の状態を示す斜視図である。
【図２６】本発明のディスク記録及び／又は再生装置に係るディスク記録媒体装置が使用されるディスクドライブ装置に図１に示すディスク記録媒体装置を挿入している状態を示す斜視図である。
【図２７】従来のディスク記録媒体装置を示す斜視図である。
【符号の説明】
【００９３】
１０，８０  ディスクカートリッジ、  １１  光ディスク（ディスク状記録媒体）、  １２  カートリッジ筐体、  １３ 上シェル、  １４ 中シェル、  １５，８５  下シェル、  １６  ディスク収納室、  １８ａ，１８ｂ  シャッタ部材、  ２２  カム溝、  ２３  リフトアップ部、  ２５，４２  開口部、  ２７ａ，２７ｂ  操作凸部、  ３０  開口窓、  ３１ ガイド溝、  ３２  ロック部材、  ３６  ストッパ部、  ３７  入力部、  ３８  バネ片、  ４３  ギア部、  ４６  カム部、  ５０  段部、  ５０ａ，５０ｂ  接合部、  ５１ａ，５１ｂ  庇部、  ５２  軸部、  ６０  ディスク記録再生装置（ディスク記録及び／又は再生装置）、  ６８  ディスク回転駆動装置、  ６８ａ  ターンテーブル、  ６９  光学ピックアップ装置、  ６９ａ  光学ヘッド、  ７０  ラック棒（シャッタ開閉手段）
【図１】
2008103078.tif 000003
【図２】
2008103078.tif 000004
【図３】
2008103078.tif 000005
【図４】
2008103078.tif 000006
【図５】
2008103078.tif 000007
【図６】
2008103078.tif 000008
【図７】
2008103078.tif 000009
【図８】
2008103078.tif 000010
【図９】
2008103078.tif 000011
【図１０】
2008103078.tif 000012
【図１１】
2008103078.tif 000013
【図１２】
2008103078.tif 000014
【図１３】
2008103078.tif 000015
【図１４】
2008103078.tif 000016
【図１５】
2008103078.tif 000017
【図１６】
2008103078.tif 000018
【図１７】
2008103078.tif 000019
【図１８】
2008103078.tif 000020
【図１９】
2008103078.tif 000021
【図２０】
2008103078.tif 000022
【図２１】
2008103078.tif 000023
【図２２】
2008103078.tif 000024
【図２３】
2008103078.tif 000025
【図２４】
2008103078.tif 000026
【図２５】
2008103078.tif 000027
【図２６】
2008103078.tif 000028
【図２７】
2008103078.tif 000029